(57)【要約】【課題】がいしの交換を作業性良く行うことができるがいし取替工具を提供する。【解決手段】がいし取替工具１は、略三角形状をなすガセット板１３の一の頂点１３ｄに設けられたがいしを交換する際に用いるがいし取替工具であって、一方向に沿って延び、ガセット板１３の一の頂点１３ｄを形成する二辺１３ｂ，１３ｃにそれぞれ交差して配置される基部２と、ガセット板１３の二辺１３ｂ，１３ｃのうち上方に配置された第一辺１３ｃに固定される上側固定部３と、ガセット板１３の二辺１３ｂ，１３ｃのうち下方に配置された第二辺１３ｂに固定される下側固定部４と、基部２に設けられ、フックを係止可能な部材係止部７Ａ，７Ｂ，７Ｃと、を備えることを特徴とする。【選択図】図２
0003212875.tif 000002
【実用新案登録請求の範囲】
【請求項１】
略三角形状をなすガセット板の一の頂点に設けられたがいしを交換する際に用いるがいし取替工具であって、
一方向に沿って延び、前記ガセット板の前記一の頂点を形成する二辺にそれぞれ交差して配置される基部と、
前記ガセット板の前記二辺のうち上方に配置された第一辺に固定される上側固定部と、
前記ガセット板の前記二辺のうち下方に配置された第二辺に固定される下側固定部と、
前記基部に設けられ、係止部材を係止可能な部材係止部と、を備えることを特徴とするがいし取替工具。
【請求項２】
前記上側固定部は、
前記ガセット板の前記第一辺を係止する第一係止部と、
該第一係止部に連続して設けられ、前記基部との間に前記ガセット板の前記第一辺が挿通される第一挿通空間を形成する第一挿通部と、を有し、
前記下側固定部は、
前記ガセット板の前記第二辺を係止する第二係止部と、
該第二係止部に連続して設けられ、前記基部との間に前記ガセット板の前記第二辺が挿通される第二挿通空間を形成する第二挿通部と、を有することを特徴とする請求項１に記載のがいし取替工具。
【請求項３】
前記ガセット板を挟んで、前記基部の前記一方向の一方側に前記下側固定部が配置され、前記基部の前記一方向の他方側に前記上側固定部及び前記部材係止部が配置されていることを特徴とする請求項１または２に記載のがいし取替工具。
【請求項４】
前記部材係止部は、複数箇所に設けられるとともに、前記基部における前記ガセット板側を向く第一面及び前記基部における前記第一面と反対側の第二面に設けられていることを特徴とする請求項１から３のいずれか一項に記載のがいし取替工具。
【考案の詳細な説明】
【技術分野】
【０００１】
本考案は、がいし取替工具に関するものである。
【背景技術】
【０００２】
従来から、鉄道のき電線は、がいしに取り付けられている。具体的には、電柱に腕金が取り付けられ、腕金にがいしが設けられて、がいしにき電線が支持されている（下記の特許文献１参照）。電柱の高さが低い場合には、腕金の先端とき電線等の電線との間に、がいしを設置する高さを確保するために、腕金の先端側を上方に向けるように、腕金を傾斜させて電柱に取り付けている。
【０００３】
一方、がいしは、経年や落雷等により損傷した場合には、交換する必要がある。がいしを交換する際には、電柱に足場を設置して、足場に立った作業者が電線をがいしから取り外して、電線を足場上に載せて仮支持する。次に、取り外したがいしにロープを結び付けて、足場上の作業者がロープを垂らして、がいしを地上に下ろしていく。次に、地上の作業者が、ロープからがいしを取り外し、新しいがいしに交換して、足場上の作業者がロープを引き上げて、新しいがいしを持ち上げる。そして、新しいがいしを腕金にボルト等で取り付けて、がいしの交換が完了する。
【先行技術文献】
【特許文献】
【０００４】
【特許文献１】特開２０１７−３９３５３号公報
【考案の概要】
【考案が解決しようとする課題】
【０００５】
しかしながら、上記のようにしてがいしを交換する際に、電線を足場上に載せると、電線が足場から外れて垂れ下がってしまう虞がある。このため、電線が足場から外れないように、足場上の作業者が電線を保持しながらがいしの交換作業をしなくてはならず、作業がしづらいという問題点がある。また、取り外したがいしを地上に下ろす際及び新しいがいしを持ち上げる際には、足場上の作業者がロープを持って、がいしの自重を支持しなければならず、作業の負担が大きいという問題点がある。また、新しいがいしを腕金にボルト等で取り付ける際には、足場上の作業者が一人でがいしを持ちながらボルト締めの作業を行う必要があり、作業がしづらいという問題点がある。
【０００６】
そこで、本考案は、上記事情に鑑みてなされたものであり、がいしの交換を作業性良く行うことができるがいし取替工具を提供する。
【課題を解決するための手段】
【０００７】
上記目的を達成するために、本考案は以下の手段を採用している。
すなわち、本考案に係るがいし取替工具は、略三角形状をなすガセット板の一の頂点に設けられたがいしを交換する際に用いるがいし取替工具であって、一方向に沿って延び、前記ガセット板の前記一の頂点を形成する二辺にそれぞれ交差して配置される基部と、前記ガセット板の前記二辺のうち上方に配置された第一辺に固定される上側固定部と、前記ガセット板の前記二辺のうち下方に配置された第二辺に固定される下側固定部と、前記基部に設けられ、係止部材を係止可能な部材係止部と、を備えることを特徴とする。
【０００８】
このように構成されたがいし取替工具では、ガセット板の第一辺に上側固定部を固定し、ガセット板の第二辺に下側固定部を固定すれば、がいし取替工具はガセット板に固定される。この状態で、張線器（シメラー）のフック（係止部材）をがいし取替工具の部材係止部に係止させて、張線器を調整すれば、がいしが支持するき電線等の電線を張線器に仮支持させることができる。従来では、足場上の作業者が電線を保持しながらがいしの交換作業をしなければならなかったが、がいし取替工具を用いることで、足場上の作業者が電線を保持する必要がなく、がいしの交換作業に専念できるため作業性が良い。
また、がいしを上げ下げするロープ用のフック（係止部材）を取替工具の部材係止部に係止させ、ロープをがいしに結び付けて、フックにロープを通す。これにより、地上の作業補助者がロープを持ってがいしの自重を支持して、古いがいしの降ろし作業及び新しいがいしの引き上げ作業をすることができる。従来では、足場上の作業者ががいしを支持しなければならず作業の負担が大きかったが、がいし取替工具を用いることで、足場上の作業者はがいしを支持する必要がなく、がいしの上げ下ろし作業時にロープを案内すればよいだけであるため作業性が良い。
【０００９】
また、本考案に係る取替工具では、前記上側固定部は、前記ガセット板の前記第一辺を係止する第一係止部と、該第一係止部に連続して設けられ、前記基部との間に前記ガセット板の前記第一辺が挿通される第一挿通空間を形成する第一挿通部と、を有し、前記下側固定部は、前記ガセット板の前記第二辺を係止する第二係止部と、該第二係止部に連続して設けられ、前記基部との間に前記ガセット板の前記第二辺が挿通される第二挿通空間を形成する第二挿通部と、を有することが好ましい。
【００１０】
このように構成されたがいし取替工具では、ガセット板の第一辺及び第二辺をそれぞれ第一挿通空間及び第二挿通空間に挿通させて、第一係止部及び第二係止部をそれぞれ第一辺及び第二辺に係止させれば、がいし取替工具はガセット板に固定されるため、がいし取替工具をガセット板に容易に取り付けることができる。
【００１１】
また、本考案に係る取替工具は、前記ガセット板を挟んで、前記基部の前記一方向の一方側に前記下側固定部が配置され、前記基部の前記一方向の他方側に前記上側固定部及び前記部材係止部が配置されていてもよい。
【００１２】
このように構成されたがいし取替工具では、基部の一方向の他方側に設けられた部材係止部に、張線器やロープのフックを係止させて、がいしを支持させれば、がいしの自重により、上側固定部には下向きの力が作用し、上側固定部はガセット板の第一辺に確実に係止される。また、基部の一方向の他方側に設けられた下側固定部には上向きの力が作用し、下側固定部はガセット板の第二辺に確実に係止される。
【００１３】
また、本考案に係る取替工具では、前記部材係止部は、複数箇所に設けられるとともに、前記基部における前記ガセット板側を向く第一面及び前記基部における前記第一面と反対側の第二面に設けられていてもよい。
【００１４】
このように構成されたがいし取替工具では、部材係止部が基部の第一面及び反対側の第二面（両面）に設けられているため、部材係止部に係止部材を係止させても、係止部材どうしが干渉することがない。
【考案の効果】
【００１５】
本考案に係るがいし取替工具によれば、がいしの交換を作業性良く行うことができる。
【図面の簡単な説明】
【００１６】
【図１】本考案の一実施形態に係るがいし取替工具の使用対象となるがいしを説明する斜視図である。
【図２】本考案の一実施形態に係るがいし取替工具をガセット板に設置した状態を、ガセット板側から見た図である。
【図３】本考案の一実施形態に係るがいし取替工具をガセット板に設置した状態を、図２と反対側から見た図である。
【図４】本考案の一実施形態に係るがいし取替工具をガセット板に設置した状態の水平断面図である。
【図５】本考案の一実施形態に係るがいし取替工具を使用して、がいしを交換する方法を説明する図である。
【図６】本考案の一実施形態に係るがいし取替工具を使用して、がいしを交換する方法を説明する図であり、図５の後工程を示す。
【図７】本考案の一実施形態に係るがいし取替工具を使用して、がいしを交換する方法を説明する図であり、図６の後工程を示す。
【考案を実施するための形態】
【００１７】
本考案の一実施形態に係るがいし取替工具について、図面を用いて説明する。
図１は、本考案の一実施形態に係るがいし取替工具の使用対象となるがいしを説明する斜視図である。
列車に電気を供給する鉄道電気設備（電車線路）では、例えば図１に示すように、電柱１１に、長尺状に形成された腕金１２が取り付けられている。腕金１２は、電柱１１に取り付けられた側から先端部１２ａ側に向かうにしたがって次第に上方に向かうように配置されている。腕金１２の先端部１２ａには、ガセット板１３が設けられている。ガセット板１３は、正面視略三角形状をなしている。ガセット板１３の一辺１３ａが、腕金１２に溶接等により取り付けられている。ガセット板１３の他の二辺１３ｂ，１３ｃにより形成される角部（一の頂点）１３ｄには、上下方向に連設された複数のがいし１９のうち最上端に位置するがいし１９ｕが、不図示のボルト等により取り付けられている。最下端に位置するがいし１９ｄには、不図示の支持具が設けられ、支持具にき電線等の電線Ｅが支持されている。本実施形態に係るがいし取替工具１（図２参照）は、連設された複数のがいし１９の全てまたは一部を交換する際に使用するものである。
電柱１１の高さが電線Ｅの高さに対して十分に高くない場合には、腕金１２の先端部１２ａと電線Ｅとの間の高さ、つまりがいし１９を設置するための高さを確保するために、上記のように腕金１２を傾斜させて設置することがある。
【００１８】
図２は、がいし取替工具１をガセット板１３に設置した状態を、ガセット板１３側から見た図である。図３は、がいし取替工具１をガセット板１３に設置した状態を、図２と反対側から見た図である。図４は、がいし取替工具１をガセット板１３に設置した状態の水平断面図である。
図２から図４に示すように、がいし取替工具１は、本体（基部）２と、第一固定部（上側固定部）３と、第二固定部（下側固定部）４と、第一締込部５と、第二締込部６と、環ボルト（部材係止部）７Ａ，７Ｂ，７Ｃと、を備えている。
【００１９】
本体２は、基板２２と、基板２２の端部から延出する延出板２３と、を有している。がいし取替工具１がガセット板１３に取り付けられた状態で、基板２２の長手方向（一方向）がガセット板１３の辺１３ｂ，１３ｃと交差し、延出板２３は基板２２の上端部からガセット板１３側と反対側に延出するように、本体２は配置されている。
【００２０】
がいし取替工具１がガセット板１３に取り付けられた状態で、基板２２におけるガセット板１３側の面（第一面）２２ａには、後述する第一固定部３、第二固定部４、第一締込部５、第二締込部６及び環ボルト７Ｂが配置されている。基板２２の面２２ａと反対側の面（第二面）２２ｂには、後述する環ボルト７Ａ，７Ｃが配置されている。
【００２１】
第一固定部３は、基板２２の長手方向の略中央に設けられている。第一固定部３は、ガセット板１３の辺１３ｂ，１３ｃのうち上方に配置される辺（第一辺）１３ｃに固定可能とされている。
【００２２】
第一固定部３は、基板２２の面２２ａから突出する突出部（第一係止部）３１と、突出部３１から第二固定部４側に延びる延出部（第一挿通部）３２と、を有している。
【００２３】
延出部３２は、基板２２の面２２ａとの間に空間（第一挿通空間）３２ｓを有して配置されている。延出部３２には、面２２ａと面２２ｂとを結ぶ方向に貫通する取付孔３２ｈが形成されている。
【００２４】
がいし取替工具１がガセット板１３に取り付けられた状態で、空間３２ｓにはガセット板１３の辺１３ｃ側が挿通され、突出部３１の第二固定部４側を向く面３１ａにガセット板１３の辺１３ｃが係止されている。詳細には、突出部３１の面３１ａの下端部に、ガセット板１３の辺１３ｃが係止されている。
【００２５】
第二固定部４は、基板２２の長手方向の一方側の端部２２ｃに設けられている。第二固定部４は、ガセット板１３の辺１３ｂ，１３ｃのうち下方に配置される辺（第二辺）１３ｂに固定可能とされている。
【００２６】
第二固定部４は、基板２２の面２２ａから突出する突出部（第二係止部）４１と、突出部４１から延び第一固定部３側に延びる延出部（第二挿通部）４２と、を有している。
【００２７】
延出部４２は、基板２２の面２２ａとの間に空間（第二挿通空間）４２ｓを有して配置されている。延出部４２には、面２２ａと面２２ｂとを結ぶ方向に貫通する取付孔４２ｈが形成されている。
【００２８】
がいし取替工具１がガセット板１３に取り付けられた状態で、空間４２ｓにはガセット板１３の辺１３ｂ側が挿通とされ、突出部４１の第一固定部３側を向く面４１ａにガセット板１３の辺１３ｂが係止可能とされている。詳細には、突出部４１の面４１ａの上端部に、ガセット板１３の辺１３ｂが係止されている。
【００２９】
第一締込部５は、第一固定部３の取付孔３２ｈに螺合された雄ねじ部５１と、雄ねじ部５１を回転させて、雄ねじ部５１を進退可能に調整する調整部５２と、を有している。調整部５２を調整して、雄ねじ部５１を進出させ空間３２ｓ内に突出させることが可能に構成されている。がいし取替工具１をガセット板１３に係止させた後に、雄ねじ部５１の先端部をガセット板１３に当接させて、ガセット板１３を基板２２側に押圧することができる。
【００３０】
第二締込部６は、第二固定部４の取付孔４２ｈに螺合された雄ねじ部６１と、雄ねじ部６１を回転させて、雄ねじ部６１を進退可能に調整する調整部６２と、を有している。調整部６２を調整して、雄ねじ部６１を進出させ空間４２ｓ内に突出させることが可能に構成されている。がいし取替工具１をガセット板１３に係止させた後に、雄ねじ部６１の先端部をガセット板１３に当接させて、ガセット板１３を基板２２側に押圧することができる。
【００３１】
環ボルト７Ａは、第一固定部３よりも、長手方向の他方側の端部２２ｄよりに設けられている。環ボルト７Ｂは、環ボルト７Ａよりも、端部２２ｄよりに設けられている。環ボルト７Ｃは、端部２２ｄ側に設けられている。
【００３２】
各環ボルト７Ａ，７Ｂ，７Ｃは、基板２２にねじ込まれたボルト基部７１と、ボルト基部７１から延び、基板２２の長手方向から見て環状に形成された環状部７２と、を有している（図２の環ボルト７Ｂ参照）。
【００３３】
図３に二点鎖線で示すように、環ボルト７Ａ，７Ｂ，７Ｃの環状部７２には、安全ロープＲ１のフック（係止部材）Ｈ１、張線器（シメラー）Ｓのフック（係止部材）Ｓ１、がいし１９（図１参照）に結び付けられたロープＲ２が通されたフック（係止部材）Ｈ２等が係止可能とされている。
【００３４】
次に、上記のがいし取替工具１を用いて、がいし１９を交換する方法につい説明する。図５から図７は、がいし取替工具１を使用して、がいし１９を交換する方法を説明する図である。図６は図５の後工程を示し、図７は図６の後工程を示す。なお、図５から図７において、がいし１９が３個連設されているものをして示している。
図５に示すように、電柱１１（図１参照）に足場１４を設置する。図２から図４に示すように、ガセット板１３にがいし取替工具１を取り付ける。具体的には、がいし取替工具１を、ガセット板１３の角部１３ｄ側（下方）に配置して、空間３２ｓ，４２ｓにそれぞれガセット板１３の辺１３ｃ，１３ｂ側の部分を挿入して、がいし取替工具１をガセット板１３に沿って上方に上げていく。そして、ガセット板１３の辺１３ｃ，１３ｂにがいし取替工具１の突出部３１，４１の面３１ａ，４１ａをそれぞれ係止される位置に、がいし取替工具１を設置する。ガセット板１３にがいし取替工具１を係止させた状態で、第一締込部５及び第二締込部６の調整部５２，６２を調整して、雄ねじ部５１，６１の先端部でガセット板１３をがいし取替工具１側に押圧して、ガセット板１３にがいし取替工具１を取り付ける。なお、がいし取替工具１を略水平面に沿って配置することが好ましい。
【００３５】
次に、図５に示すように、がいし取替工具１の環ボルト７Ａに、作業者Ｈに取り付けられた安全ロープＲ１のフックＨ１を係止させる。
【００３６】
次に、がいし取替工具１の環ボルト７Ｂに、張線器ＳのフックＳ１を係止させて、張線器Ｓで電線Ｅを支持して、電線Ｅを引き上げて、張線器Ｓに電線Ｅの荷重を負担させる。
【００３７】
次に、ロープＲ２用のフックＨ２をがいし取替工具１の環ボルト７Ｃに係止させる。ロープＲ２の一端部をがいし１９Ａ（以下、交換前の既設のがいし１９をがいし１９Ａとすることがある。）に結び付け、フックＨ２にロープＲ２を通す。地上にいる作業補助者（不図示）は、ロープＲ２の他端部側を保持する。
【００３８】
次に、図６に示すように、足場１４上の作業者Ｈは、がいし１９Ａをガセット板１３から取り外す。地上の作業補助者は、ロープＲ２を保持して、がいし１９Ａの荷重を支持する。足場１４上の作業者Ｈは、がいし１９Ａが地上の作業補助者の元に届くように、ロープＲ２を案内する。
【００３９】
地上の作業補助者の元にがいし１９Ａが届くと、ロープＲ２の一端部から古いがいし１９Ａを取り外して、新しいがいし１９Ｂ（以下、交換後の新設のがいし１９をがいし１９Ｂとすることがある。図７参照。）にロープＲ２の一端部を結びつける。地上の作業補助者はロープＲ２の他端部側を引いてがいし１９Ｂの荷重を支持して、がいし１９Ｂを上げていく。この時、足場１４上の作業者Ｈは、がいし１９Ｂが手元にくるように、ロープＲ２を案内する。
【００４０】
図７に示すように、足場１４上の作業者Ｈの元に新しいがいし１９Ｂが届くと、がいし１９Ｂをガセット板１３に取り付ける。がいし１９Ｂがガセット板１３に取り付けられるまで、地上の作業補助者が、ロープＲ２を保持してがいし１９Ｂの荷重を支持したままである。
【００４１】
次に、足場１４上の作業者Ｈは、がいし１９Ｂに電線Ｅを支持させる。張線器Ｓを調整して、電線Ｅを元の位置に戻し、張線器Ｓを電線Ｅから取り外す。このようにして、がいし１９が交換される。
【００４２】
このように構成されたがいし取替工具１では、ガセット板１３の辺１３ｃに第一固定部３を固定し、ガセット板１３の辺１３ｂに第二固定部４を固定すれば、がいし取替工具１はガセット板１３に固定される。この状態で、張線器ＳのフックＳ１をがいし取替工具１の環ボルト７Ｂに係止させて、張線器Ｓを調整すれば、がいし１９が支持する電線Ｅを張線器Ｓに仮支持させることができる。従来では、足場上の作業者が電線を保持しながらがいしの交換作業をしなければならなかったが、がいし取替工具１を用いることで、足場上の作業者Ｈが電線Ｅを保持する必要がなく、がいし１９の交換作業に専念できるため作業性が良い。
【００４３】
また、フックＨ２をがいし取替工具１の環ボルト７Ｃに係止させ、ロープＲ２をがいし１９に結び付け、フックＨ２にロープＲ２を通す。これにより、地上の作業補助者がロープＲ２を持ってがいし１９の自重を支持して、古いがいし１９Ａの降ろし作業及び新しいがいし１９Ｂの引き上げ作業をすることができる。従来では、足場上の作業者ががいしを支持しなければならず作業の負担が大きかったが、がいし取替工具１を用いることで、足場上の作業者Ｈはがいし１９を支持する必要がなく、がいし１９の上げ下ろし作業時にロープを案内すればよいだけであるため、作業性が良い。
【００４４】
また、がいし１９の荷重をがいし取替工具１に支持させて、新しいがいし１９をガセット板１３に取り付ける作業を行うことができる。従来では、作業者ががいしを支持しながらがいしの取り付け作業をしなければならなかったが、がいし取替工具１を用いることで、作業者Ｈががいし１９を保持する必要がなく、がいし１９の取付作業に専念できるため作業性が良い。
【００４５】
また、ガセット板１３の辺１３ｃ，１３ｂをそれぞれ空間３２ｓ，４２ｓに挿通させて、突出部３１，４１の面３１ａ，４１ａにそれぞれ辺１３ｃ，１３ｂを係止させれば、がいし取替工具１はガセット板１３に固定される。よって、がいし取替工具１をガセット板１３に容易に取り付けることができる。
【００４６】
また、本体２の端部２２ｄ側に設けられた環ボルト７Ａ，７Ｂ，７Ｃに、安全ロープＲ１、電線Ｅを仮保持する張線器Ｓ及びがいし１９を支持するロープＲ２をそれぞれ支持させる。電線Ｅやがいし１９の自重（図２に示す矢印Ａ１）により、本体２の端部２２ｄに近い第一固定部３には下向きの力（図２に示す矢印Ａ２）が作用し、第一固定部３の面３１ａはガセット板１３の辺１３ｃに確実に係止される。また、本体２の反対側の端部２２ｃ側に設けられた第二固定部４には上向きの力（図２に示す矢印Ａ３）が作用し、第二固定部４の面４１ａはガセット板１３の辺１３ｂに確実に係止される。
【００４７】
また、環ボルト７Ａ，７Ｃは本体２の面２２ｂに設けられ、環ボルト７Ｂは本体２の面２２ａに設けられている。つまり、環ボルト７Ａ，７Ｂ，７Ｃは本体２の両面に設けられているため、環ボルト７Ａ，７Ｂ，７ＣにフックＨ１，Ｓ１，Ｈ２を係止させても、隣り合う係止部材Ｈ１，Ｈ２どうし等が干渉することがない。
【００４８】
また、がいし取替工具１に安全ロープＲ１を支持させて、作業者Ｈの腰よりも高い位置に安全ロープＲ１を取り付けることができるため、安全性が高い。
【００４９】
なお、上述した実施の形態において示した各構成部材の諸形状や組み合わせ等は一例であって、本考案の主旨から逸脱しない範囲において設計要求等に基づき種々変更可能である。
【００５０】
例えば、上記に示す実施形態では、部材係止部として環ボルト７Ａ，７Ｂ，７Ｃを例に挙げて説明したが、部材係止部の形状は適宜設定可能であり、例えばＵ字状やＪ字状等をなしていてもよい。
【００５１】
また、上記に示す実施形態では、環ボルト７Ａ，７Ｂ，７Ｃには、それぞれ安全ロープＲ１のフックＨ１、張線器ＳのフックＳ１及びがいし１９に結び付けられたロープＲ２のフックＨ２がそれぞれ係止されているが、本考案はこれに限られない。部材係止部は１箇所以上に設けられていればよく、部材係止部に係止されるフックは適宜設定可能である。
【符号の説明】
【００５２】
１…がいし取替工具
２…本体（基部）
３…第一固定部（上側固定部）
４…第二固定部（下側固定部）
５…第一締込部
６…第二締込部
７Ａ，７Ｂ，７Ｃ…環ボルト（部材係止部）
１１…電柱
１２…腕金
１３…ガセット板
１３ｂ…辺（第二辺）
１３ｃ…辺（第一辺）
１３ｄ…角部（一の頂点）
２２ａ…面（第一面）
２２ｂ…面（第二面）
３１…突出部（第一係止部）
３２…延出部（第一挿通部）
３２ｓ…空間（第一挿通空間）
４１…突出部（第二係止部）
４２…延出部（第二挿通部）
４２ｓ…空間（第二挿通空間）
Ｅ…電線
Ｈ１，Ｈ２，Ｓ１…フック（係止部材）
【図１】
0003212875.tif 000003
【図２】
0003212875.tif 000004
【図３】
0003212875.tif 000005
【図４】
0003212875.tif 000006
【図５】
0003212875.tif 000007
【図６】
0003212875.tif 000008
【図７】
0003212875.tif 000009